(57)【特許請求の範囲】
【請求項１】
駆動回路を含む回路基板を接続するための中継フレキシブル基板をスライドベースに取り付けた光学ピックアップにおいて、
前記中継フレキシブル基板のスライドベースに対向する領域に配され、一対の被係合部を設けた弾性変形可能な補強板と、
前記スライドベースに設けられ、前記補強板の前記一対の被係合部とそれぞれ係合する一対の係合部とを備え、
前記一対の係合部の一方の係合部はほぼ円錐台状の頭部を有し、
前記円錐台状の頭部を有する一方の係合部と係合する前記補強板の一方の被係合部は第１のフック部と第２のフック部とを備え、該第１のフック部と第２のフック部とが互いに離れるように弾性変形して前記円錐台状の頭部が挿通されるように形成される挿通部を有することを特徴とする光学ピックアップ。
【発明の詳細な説明】
【０００１】
【産業上の利用分野】
本発明は、光ディスクに対して記録及び／または再生を行なうための光学ピックアップに関し、特に中継基板を光学ピックアップのスライドベースに接続するための基板取付構造に関するものである。
【０００２】
【従来の技術】
従来、光ディスク、例えばいわゆるコンパクトディスク（ＣＤ）や光磁気ディスクに対する情報信号の再生もしくは記録は、光学ピックアップを使用して行なわれる。この光学ピックアップは、光源としての半導体レーザ，対物レンズ，光学系及び光検出器とを含んでいる。
【０００３】
光学ピックアップにおいて、半導体レーザから出射された光ビームは、光学系を介して対物レンズによって光ディスクの記録面上に集光される。光ディスクからの戻り光ビームは、光学系により半導体レーザから出射された光ビームと分離されて、光検出器に導かれる。
このような光学ピックアップでは、半導体レーザから出射された光ビームは、光ディスクの反り等に起因して発生する光ディスクの面方向と直交する方向の光ディスクの変位に追従して、光ディスクの記録面上で合焦されるように、対物レンズの光軸方向の位置が調整される。
同時に、半導体レーザから出射された光ビームの光ディスク上のスポットの位置が光ディスクの偏心や光ディスク上に形成されたトラックの蛇行に追従するように、対物レンズの光軸と直交する方向の位置が調整される。
【０００４】
この半導体レーザから出射された光ビームの合焦位置及び光ディスクの記録面上のスポット位置の調整は、対物レンズを対物レンズの光軸方向の位置及び光軸と直交する方向の位置を調整することによって行なわれる。対物レンズの位置調整には、電磁駆動型のアクチュエータが使用される。
【０００５】
そして、光ディスクの記録面からの戻り光ビームは、対物レンズ，光学系を介して光検出器に入射する。光検出器から出力される検出信号は、図示しない中継基板を介して、信号処理回路に出力され、この信号処理回路にて、再生信号とトラッキングエラー信号，フォーカスエラー信号が検出される。
トラッキングエラー信号及びフォーカスエラー信号は、それぞれサーボ回路に入力される。各サーボ回路は、上記対物レンズの位置調整を行なうアクチュエータを駆動制御して、フォーカシング及びトラッキングを行なう。
【０００６】
ここで、上述した信号処理回路及び各サーボ回路、半導体レーザの駆動回路は、光学ピックアップから離れて配設されたセット回路基板上に形成されている。そして、光学ピックアップとセット回路基板とは、中継フレキシブル基板を使用して、互いに電気的に接続されている。
【０００７】
この中継フレキシブル基板は、その裏面の一部に補強板を備えており、この補強板が、光学ピックアップのスライドベースに取り付けられることにより、光学ピックアップに対して固定保持されると共に、補強板の領域から、外部に延びる基板部分と、光学ピックアップの各部に延びる基板部とを備えている。
【０００８】
このような中継フレキシブル基板の光学ピックアップのスライドベースへの取付は、例えば図１３，図１４または図１５に示すようにして行なわれる。
即ち、図１３においては、中継フレキシブル基板の補強板１は、光学ピックアップのスライドベース２に対して、複数個、図示の場合２個のネジ３を、補強板１に設けた取付孔１ａを通して、スライドベース２上に設けられたネジ穴２ａに螺合させることにより、ネジ止め固定される。
【０００９】
また、図１４においては、中継フレキシブル基板の補強板４は、光学ピックアップのスライドベース５に対して、補強板４の側縁に設けられた切欠部４ａを、スライドベース５の側縁に設けられたフック５ａに係合させることにより位置決めし、ネジ６を、補強板４に設けた取付孔４ｂを通して、スライドベース５上に設けられたネジ穴５ｂに螺合させることにより、ネジ止め固定される。
【００１０】
さらに、図１５の場合には、中継フレキシブル基板の補強板７は、光学ピックアップのスライドベース８に対して、補強板７に設けられた複数個、図示の場合２個の係合穴７ａを、スライドベース８の上面に設けられた係合ダボ８ａに係合させることにより位置決めし、複数個、図示の場合２個のネジ９を、補強板７に設けた取付孔７ｂを通して、スライドベース８上に設けられたネジ穴８ｂに螺合させることにより、ネジ止め固定される。
【００１１】
【発明が解決しようとする課題】
しかしながら、このような中継フレキシブル基板の光学ピックアップへの取付構造においては、以下のような問題がある。
即ち、図１３から図１５の何れの取付構造においても、固定のためにネジ３，６，９を使用していることから、部品点数が多くなると共に、ネジ止め作業が必要であることから、組立が複雑になる。さらに、スライドベース２，５，８に対してネジ穴２ａ，５ｂ，８ｂを加工する必要があるため、工程数が多くなるので、部品コスト，組立コスト及び製造コストが高くなってしまうという問題があった。
【００１２】
また、図１５の取付構造においては、中継フレキシブル基板に、位置決め用の係合穴７ａが設けられているので、中継フレキシブル基板の有効面積が小さくなってしまうという問題があった。
【００１３】
本発明は、以上の点に鑑み、固定のための部品が不要であると共に、容易に取り付けが可能であることにより、コストが低減されるようにした、光学ピックアップを提供することを目的としている。
【００１４】
【課題を解決するための手段】
上記目的は、請求項１の発明によれば、駆動回路を含む回路基板を接続するための中継フレキシブル基板をスライドベースに取り付けた光学ピックアップにおいて、前記中継フレキシブル基板のスライドベースに対向する領域に配され、一対の被係合部を設けた弾性変形可能な補強板と、前記スライドベースに設けられ、前記補強板の前記一対の被係合部とそれぞれ係合する一対の係合部とを備え、前記一対の係合部の一方の係合部はほぼ円錐台状の頭部を有し、前記円錐台状の頭部を有する一方の係合部と係合する前記補強板の一方の被係合部は第１のフック部と第２のフック部とを備え、該第１のフック部と第２のフック部とが互いに離れるように弾性変形して前記円錐台状の頭部が挿通されるように形成される挿通部を有する光学ピックアップにより、達成される。
【００１８】
【作用】
上記構成によれば、中継フレキシブル基板の補強板を、光学ピックアップのスライドベース上に載置して、この補強板の互いに対向する係合部を、それぞれ対応するスライドベース上に設けられた係合部に対して整合させて、この補強板を下方に押し込むことにより、一方の組の係合部が、弾性に基づいて変形して、各係合部が互いに係合される。
その後、各係合部が完全に係合すると、一方の組の係合部が、その弾性に基づいて、補強板を他方の組の係合部に対して押圧することにより、補強板は、スライドベース上にて、位置決めされ且つ固定保持されることになる。
【００１９】
弾性的に係合する少なくとも一組の係合部が、スライドベースの上面から上方に突出するダボと、補強板の側縁からこのダボを挟持するように延びる一対の張り出し部から成るかぎ型フック部である場合には、補強板のかぎ型フック部が、スライドベースのダボに整合され、下方に向かって押し込まれると、このかぎ型フック部の張り出し部がその弾性に基づいて両側に広がって、スライドベースのダボを受容し、完全に係合した状態においては、この張り出し部が、その弾性に基づいて、このダボを挟持することにより、補強板は、スライドベース上にて、位置決めされ且つ固定保持されることになる。
【００２０】
弾性的に係合する少なくとも一組の係合部が、補強板の側縁に設けられた凹状の切欠部と、スライドベースの上面から上方に突出し且つ係合時に外側に弾性的に変形し得るフック部である場合には、補強板の切欠部が、スライドベースのフック部に整合され、下方に向かって押し込まれると、このフック部がその弾性に基づいて外側に変形して、補強板の切欠部内に嵌入し、完全に係合した状態においては、このフック部の先端が、その弾性に基づいて、この切欠部に係合することにより、補強板は、スライドベース上にて、位置決めされ且つ固定保持されることになる。
【００２１】
他方の組の係合部が、補強板の側縁に設けられた凹状の切欠部と、スライドベースの上面から上方に突出し且つ係合時に変形しないフック部である場合には、他方の組の係合部の弾性に基づいて、補強板は、その凹状の切欠部が、変形しないフック部に当接されることにより、正確に位置決めさ得ることになる。
【００２２】
【実施例】
以下、この発明の好適な実施例を図１乃至図１２を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明による光学ピックアップの第一の実施例を示している。
図１の光学ピックアップの中継基板取付構造１０において、中継フレキシブル基板１１は、その補強板が、光学ピックアップのスライドベース１２に取り付けられる。
【００２４】
ここで、光学ピックアップ全体は、図２に示すように、構成されている。
図２において、光学ピックアップ２０は、半導体レーザ素子から成る光源部２１，グレーティング２２，ビームスプリッタ２３，コリメータレンズ２４，対物レンズ２５と、このビームスプリッタ２３により分離された戻り光ビームが入射されるマルチレンズ２６及び光検出器２７から構成されている。
【００２５】
上記光源部２１は、半導体の再結合発光を利用した発光素子から成り、この光源部から出射した光ビームは、グレーティング２２に導かれる。
【００２６】
上記グレーティング２２は、入射光を回折させるものであり、光源部２１から出射した光ビームを回折させて、トラッキング方向に垂直な方向に０次回折光及び±１次光の少なくとも３本の光ビームに分離するために使用される。
【００２７】
ビームスプリッタ２３は、ハーフミラー面が、光軸に対して４５度傾斜した状態で配設されており、光源部２１からの光ビームと光ディスクＤの記録面からの戻り光を分離する。
【００２８】
コリメータレンズ２４は、凸レンズであって、ビームスプリッタ２３からの光ビームを平行光に変換して、対物レンズ２５に導く。
【００２９】
対物レンズ２５は、二軸アクチュエータ２８によって二軸方向、即ちフォーカス方向及びトラッキング方向に移動可能に支持されており、コリメータレンズ２４からの平行光を、回転駆動される光ディスクＤの記録面の所望のトラック上に結像させる。
【００３０】
光ディスクＤの記録面に照射された光ビームは、戻り光ビームとして、再び対物レンズ２５，コリメータレンズ２４を介してビームスプリッタ２３に導かれる。そして、ビームスプリッタ２３のハーフミラー面で反射された戻り光ビームは、マルチレンズ２６を介して光検出器２７に入射される。
【００３１】
ここで、上記光源部２１，光検出器２７及び二軸アクチュエータ２８は、それぞれ中継フレキシブル基板１１を介して、外部のセット回路基板２９に接続されている。これにより、光源部２１は、セット回路基板２９上に構成された駆動回路に接続されて、この駆動回路から駆動電圧が給電されることになる。尚、図示の場合、光源部２１は、中継フレキシブル基板１１上に構成されたＬｏ−ＭＯＤ回路及びＨｉ−ＭＯＤ回路を介して、接続されている。
【００３２】
また、光検出器２７は、中継フレキシブル基板１１により、セット回路基板２９上に構成された信号処理回路に接続されており、この信号処理回路は、光検出器２７からの検出信号に基づいて、再生信号，フォーカスエラー信号及びトラッキングエラー信号を検出する。
そして、このフォーカスエラー信号及びトラッキングエラー信号は、それぞれセット回路基板２９上に構成されたサーボ回路に出力され、各サーボ回路は、中継フレキシブル基板１１を介して、二軸アクチュエータ２８の駆動制御を行なうことにより、フォーカスサーボ及びトラッキングサーボを行ない、対物レンズ２５のフォーカス方向及びトラッキング方向の位置調整を行なう。
【００３３】
上記中継フレキシブル基板１１は、図５に示すように、ポリイミドフィルムから成るベース層１１ａの上面に、接着剤または接着層１１ｂを介して、銅箔から成る配線層１１ｃを貼着し、さらにその上に接着剤または接着層１１ｄを介して、フィルムまたはレジストから成るカバー層１１ｅを貼着することにより構成されている。
さらに、この中継フレキシブル基板１１は、そのベース層１１ａの下面に対して、粘着剤または接着剤１１ｆを介して、部分的に補強板１１ｇが取り付けられており、この補強板１１ｇの下面には、粘着剤または接着剤１１ｈを介して剥離紙１１ｉが貼着されている。
【００３４】
ここで、上記補強板１１ｇは、弾性変形可能な材料、例えばガラスエポキシ，紙フェノール，ポリイミド，ＰＥＴ等から形成されており、図３及び図４に示すように、一方の側縁（図示の場合、左側縁）に、方形の凹状切欠部１３が設けられていると共に、他方の側縁（図示の場合、右側縁）に、かぎ型フック部１４が備えられている。
【００３５】
このかぎ型フック部１４は、後述するスライドベース１２上に設けられたダボを挟持するように、補強板１１ｇの側縁から延びる一対の張り出し部１４ａ，１４ｂを含んでおり、この張り出し部１４ａ，１４ｂは、内側にこのダボを収容し得るようにほぼ円形の中空部１４ｃを画成すると共に、図６に示すように、弾性に基づいて互いに離反することにより、このダボの拡大された頭部を通過させ得るように形成されている。
【００３６】
上記スライドベース１２は、図７及び図８に示すように、一方の側縁（図示の場合、左側縁）に、フック部１５が備えられていると共に、その上面の補強板１１ｇのかぎ型フック部１４に対応する位置に、上方に突出したダボ１６が備えられている。
【００３７】
このフック部１５は、上方に向かって立ち上がった後、内側に向かって突出する逆Ｌ字形に形成されている。そして、このフック部１５の幅は、補強板１１ｇの切欠部１３の幅と同じか僅かに狭く選定されていると共に、内側に向かって突出した部分１５ａの下面とスライドベース１２の上面との間の間隔は、中継フレキシブル基板１１の厚さに等しいか僅かに薄く選定されている。
【００３８】
また、ダボ１６は、前述した補強板１１ｇのかぎ型フック部１４の中空部１４ｃ内に受容される軸部１６ａと、この軸部１６ａの上端に備えられたほぼ円錐台状の頭部１６ｂとから構成されている。この軸部１６ａの直径は、かぎ型フック部１４の中空部１４ｃの直径と等しいか僅かに小さく、またその高さは、中継フレキシブル基板１１の厚さに等しいか僅かに低く選定されている。
さらに、頭部１６ｂの最大径は、上記かぎ型フック部１４の二つの張り出し部１４ａ，１４ｂが互いに離反するように弾性変形したとき、その間の中空部１４ｃを通過し得るように選定されている。
【００３９】
本実施例による光学ピックアップの中継基板取付構造１０は以上のように構成されており、中継フレキシブル基板１１を光学ピックアップ２０のスライドベース１２に取り付ける場合には、先づ中継フレキシブル基板１１の補強板１１ｇを、剥離紙１１ｉを剥した状態で、光学ピックアップ２０のスライドベース１２上に載置して、この補強板１１ｇの切欠部１３及びかぎ型フック部１４を、それぞれ対応するスライドベース１２上のフック部１５及びダボ１６に対して整合させる。
即ち、補強板１１ｇの切欠部１３の入口部分を、スライドベース１２のフック部１５に合わせて、補強板１１ｇを図１にて左方に移動させる。このとき、補強板１１ｇのかぎ型フック部１４がスライドベース１２のダボ１６に対向されることになる。
【００４０】
これにより、このフック部１５は、補強板１１ｇの切欠部１３内に係合することになり、補強板１１ｇそして中継フレキシブル基板１１の横方向の移動を規制すると共に、突出部１５ａにより上下方向の移動を規制することになる。
【００４１】
続いて、補強板１１ｇのかぎ型フック部１４付近を下方に押し込むことにより、このかぎ型フック部１４の二つの張り出し部１４ａ，１４ｂは、その弾性に基づいて、スライドベース１２上のダボ１６の円錐台状の頭部１６ｂによって、図６に示すように、互いに離反するように変形される。
そして、この頭部１６ｂが完全にかぎ型フック部１４ａ，１４ｂの間を通過して、補強板１１ｇのかぎ型フック部１４の下面が、スライドベース１２の上面に当接すると、上記頭部１６ｂは、かぎ型フック部１４の張り出し部１４ａ，１４ｂの上に抜けて、この張り出し部１４ａ，１４ｂは、その弾性に基づいて、ダボ１６の軸部１６ａを挟持することになる。
【００４２】
これにより、このダボ１６は、補強板１１ｇのかぎ型フック部１４の張り出し部１４ａ，１４ｂにより画成される中空部１４ｃ内に係合することになり、この張り出し部１４ａ，１４ｂにより、補強板１１ｇの横方向の移動が規制されると共に、ダボ１６の頭部１６ｂの下縁に張り出し部１４ａ，１４ｂが係合することにより、上下方向の移動が規制されることになる。
【００４３】
かくして、中継フレキシブル基板１１の補強板１１ｇが、スライドベース１２の上面に対して位置決めされ、粘着剤１１ｈにより、スライドベース１２の上面に固定保持されることになる。この場合、補強板１１ｇの切欠部１３とスライドベース１２のフック部１５との係合は、フック部１５が弾性変形しないことから、補強板１１ｇは、この切欠部１３とフック部１５との係合位置を基準として、正確に位置決めされることになる。
【００４４】
図９は、本発明による光学ピックアップの第二の実施例を示している。即ち、図９の光学ピックアップの中継基板取付構造３０において、中継フレキシブル基板３１は、その補強板３１ａが、光学ピックアップのスライドベース３２に取り付けられる。
【００４５】
ここで、中継フレキシブル基板３１は、その上記補強板３１ａは、図９及び図１０に示すように、互いに対向する側縁（図示の場合、左右の側縁）に、それぞれ方形の凹状切欠部３３，３４が設けられている。
【００４６】
また、スライドベース３２は、図９及び図１０に示すように、一方の側縁（図示の場合、左側縁）に、弾性変形しないフック部３５が備えられていると共に、その上面の補強板３１ａの切欠部３４に対応する位置に、上方に突出した外側に変形可能なフック部３６が備えられている。
【００４７】
このフック部３５は、上方に向かって立ち上がった後、内側に向かって突出する逆Ｌ字形に形成されている。そして、このフック部３５の幅は、補強板３１ａの切欠部３３の幅と同じか僅かに狭く選定されていると共に、内側に向かって突出した部分３５ａの下面とスライドベース３２の上面との間の間隔は、中継フレキシブル基板３１の厚さに等しいか僅かに薄く選定されている。
【００４８】
また、フック部３６は、前述した補強板３１ａの切欠部３４に係合し得ると共に、その上方から内側に向かって延びる突出部３６ａが、この切欠部３４内でその上面に係合し得るように形成されている。このフック部３６の幅は、補強板３１ａの切欠部３４の幅と同じか僅かに狭く選定されていると共に、突出部３６ａの下面とスライドベース３２の上面との間の間隙は、中継フレキシブル基板３１の厚さに等しいか僅かに薄く選定されている。
【００４９】
このような構成の光学ピックアップの中継基板取付構造３０によれば、中継フレキシブル基板３１をスライドベース３２に取り付ける場合には、先づ中継フレキシブル基板３１の補強板３１ａを、スライドベース３２上に載置して、この補強板３１ａの切欠部３３，３４を、それぞれ対応するスライドベース３２上のフック部３５，３６に対して整合させる。
即ち、補強板３１ａの切欠部３３の入口部分を、スライドベース３２のフック部３５に合わせて、補強板３１ａを図９にて左方に移動させる。このとき、補強板３１ａの切欠部３４がスライドベース３２のフック部３６に対向されることになる。
【００５０】
これにより、このフック部３５は、補強板３１ａの切欠部３３内に係合することになり、補強板３１ａそして中継フレキシブル基板３１の横方向の移動を規制すると共に、突出部３５ａにより上下方向の移動を規制することになる。
【００５１】
続いて、補強板３１ａの切欠部３４付近を下方に押し込むことにより、スライドベース３２上のフック部３６は、その弾性に基づいて、補強板３１ａの切欠部３４によって、図１１に示すように、外側に向かって変形される。そして、フック部３６の突出部３６ａが、補強板３１ａの切欠部３４を通過して、補強板３１ａの下面が、スライドベース３２の上面に当接すると、上記突出部３６ａは、補強板３１ａの切欠部３４の上に抜けて、この突出部３６ａは、その弾性に基づいて、切欠部３４内に係合することになる。
【００５２】
これにより、このフック部３６により、補強板３１ａの横方向の移動が規制されると共に、フック部３６の突出部３６ａの下縁が、切欠部３４に係合することにより、上下方向の移動が規制されることになる。
【００５３】
かくして、中継フレキシブル基板３１の補強板３１ａが、スライドベース３２の上面に対して位置決めされ、その下面に備えられた粘着剤等により、スライドベース３２の上面に固定保持されることになる。この場合、補強板３１ａの切欠部３３とスライドベース３２のフック部３５との係合は、フック部３５が弾性変形しないことから、補強板３１ａは、この切欠部３３とフック部３５との係合位置を基準として、正確に位置決めされることになる。
【００５４】
図１２は、本発明による光学ピックアップの第三の実施例を示している。即ち、図１２の光学ピックアップの中継基板取付構造４０において、中継フレキシブル基板４１は、その補強板４１ａが、光学ピックアップのスライドベース４２に取り付けられる。
【００５５】
ここで、中継フレキシブル基板４１は、その上記補強板４１ａは、図１２に示すように、互いに対向する側縁（図示の場合、左右の側縁）に対して、一方の側縁（図示の場合、左側縁）に、二つの並んで配設された方形の凹状切欠部４３，４４が、また他方の側縁（図示の場合、右側縁に、一つの方形の凹状切欠部４５が設けられている。
【００５６】
また、スライドベース４２は、図１２に示すように、一方の側縁（図示の場合、左側縁）に、弾性変形しないフック部４６，４７が並んで備えられていると共に、その上面の補強板４１ａの切欠部４５に対応する位置に、上方に突出した外側に変形可能なフック部４８が備えられている。
【００５７】
このフック部４６，４７は、上方に向かって立ち上がった後、内側に向かって突出する逆Ｌ字形に形成されている。そして、このフック部４６，４７の幅は、補強板４１ａの切欠部４３，４４の幅と同じか僅かに狭く選定されていると共に、内側に向かって突出した部分４６ａ，４７ａの下面とスライドベース４２の上面との間の間隔は、中継フレキシブル基板４１の厚さに等しいか僅かに薄く選定されている。
【００５８】
また、フック部４８は、それぞれ前述した補強板４１ａの切欠部４５に係合し得ると共に、その上方から内側に向かって延びる突出部４８ａが、この切欠部４５内でその上面に係合し得るように形成されている。このフック部４８の幅は、補強板４１ａの切欠部４５の幅と同じか僅かに狭く選定されていると共に、突出部４８ａの下面とスライドベース４２の上面との間の間隙は、中継フレキシブル基板４１の厚さに等しいか僅かに薄く選定されている。
【００５９】
このような構成の光学ピックアップの中継基板取付構造４０によれば、中継フレキシブル基板４１をスライドベース４２に取り付ける場合には、先づ中継フレキシブル基板４１の補強板４１ａを、スライドベース４２上に載置して、この補強板４１ａの切欠部４３，４４，４５を、それぞれ対応するスライドベース４２上のフック部４６，４７，４８に対して整合させる。即ち、補強板４１ａの切欠部４３，４４の入口部分を、スライドベース４２のフック部４６，４７に合わせて、補強板４１ａを図１２にて左方に移動させる。このとき、補強板４１ａの切欠部４５がスライドベース４２のフック部４８に対向されることになる。
【００６０】
これにより、このフック部４６，４７は、補強板４１ａの切欠部４３，４４内に係合することになり、補強板４１ａそして中継フレキシブル基板４１の横方向の移動を規制すると共に、突出部４６ａ，４７ａにより上下方向の移動を規制することになる。
【００６１】
続いて、補強板４１ａの切欠部４５付近を下方に押し込むことにより、スライドベース４２上のフック部４８は、その弾性に基づいて、補強板４１ａの切欠部４５によって、外側に向かって変形される。そして、フック部４８の突出部４８ａが、補強板４１ａの切欠部４５を通過して、補強板４１ａの下面が、スライドベース４２の上面に当接すると、上記突出部４８ａは、補強板４１ａの切欠部４５の上に抜けて、この突出部４８ａは、その弾性に基づいて、切欠部４５内に係合することになる。
【００６２】
これにより、このフック部４８により、補強板４１ａの横方向の移動が規制されると共に、フック部４８の突出部４８ａの下縁が、切欠部４５に係合することにより、上下方向の移動が規制されることになる。
【００６３】
かくして、中継フレキシブル基板４１の補強板４１ａが、スライドベース４２の上面に対して位置決めされ、その下面に備えられた粘着剤等により、スライドベース４２の上面に固定保持されることになる。この場合、補強板４１ａの切欠部４３，４４とスライドベース４２のフック部４６，４７との係合は、フック部４６，４７が弾性変形しないことから、補強板４１ａは、この切欠部４３，４４とフック部４６，４７との係合位置を基準として、正確に位置決めされることになる。この場合、二つのフック部４６，４７を使用して位置決めが行なわれるので、より一層正確な位置決めが可能となる。
【００６４】
このように、上述の実施例では、中継フレキシブル基板の補強板を、光学ピックアップのスライドベース上に載置して、この補強板の互いに対向する係合部を、それぞれ対応するスライドベース上に設けられた係合部に対して整合させて、この補強板を下方に押し込むことにより、一方の組の係合部が、弾性に基づいて変形して、各係合部が互いに係合される。
その後、各係合部が完全に係合すると、一方の組の係合部が、その弾性に基づいて、補強板を他方の組の係合部に対して押圧することにより、補強板は、スライドベース上にて、位置決めされ且つ固定保持されることになる。
【００６５】
尚、上記実施例においては、図２に図式的に示す光学ピックアップ２０に対して、そのスライドベース１２，３２，４２に、中継フレキシブル基板１１，３１，４１の補強板１１ｇ，３１ａ，４１ａを取り付ける場合について説明したが、光学ピックアップとしては、他の種々の構成のものでもよく、あるいはフレキシブル基板を取り付けるようにした、他の各種機器のベースであってもよいことは明らかである。
【００６６】
【発明の効果】
以上述べたように、本発明によれば、固定のための部品が不要であると共に、容易に取り付けが可能であることにより、コストが低減されるようにした、光学ピックアップを提供できる。
【図面の簡単な説明】
【図１】本発明による光学ピックアップの第一の実施例を示す概略斜視図である。
【図２】図１の中継フレキシブル基板を含む光学ピックアップの全体構成を示す概略図である。
【図３】図１の中継フレキシブル基板の補強板を示す平面図である。
【図４】図３の補強板の側面図である。
【図５】図１の中継フレキシブル基板の断面図である。
【図６】図３の補強板の要部を示す部分拡大平面図である。
【図７】図１の取付構造におけるスライドベースを示す側面図である。
【図８】図７のスライドベースの正面図である。
【図９】本発明による光学ピックアップの第二の実施例を示す概略斜視図である。
【図１０】図９の取付構造の断面図である。
【図１１】図９の取付構造における係合時のフック部の変形状態を示す部分側面図である。
【図１２】本発明による光学ピックアップの第三の実施例を示す概略斜視図である。
【図１３】従来の中継フレキシブル基板の取付構造の一例を示す概略分解斜視図である。
【図１４】従来の中継フレキシブル基板の取付構造の他の例を示す概略分解斜視図である。
【図１５】従来の中継フレキシブル基板の取付構造のさらに他の例を示す概略分解斜視図である。
【符号の説明】
１０    光学ピックアップの中継基板取付構造
１１    中継フレキシブル基板
１２    スライドベース
１３    切欠部
１４    かぎ型フック部
１５    フック部
１６    ダボ
２０    光学ピックアップ
２１    光源部
２２    グレーティング
２３    ビームスプリッタ
２４    コリメータレンズ
２５    対物レンズ
２６    マルチレンズ
２７    光検出器
２８    二軸アクチュエータ
２９    セット回路基板
３０    光学ピックアップの中継基板取付構造
３１    中継フレキシブル基板
３１ａ  補強板
３２    スライドベース
３３，３４    切欠部
３５    フック部
３６    弾性変形可能なフック部
４０    光学ピックアップの中継基板取付構造
４１    中継フレキシブル基板
４１ａ  補強板
４２    スライドベース
４３，４４，４５    切欠部
４６，４７    フック部
４８    弾性変形可能なフック部
【図１】
0003627759.tif 000002
【図２】
0003627759.tif 000003
【図３】
0003627759.tif 000004
【図４】
0003627759.tif 000005
【図５】
0003627759.tif 000006
【図６】
0003627759.tif 000007
【図７】
0003627759.tif 000008
【図８】
0003627759.tif 000009
【図９】
0003627759.tif 000010
【図１０】
0003627759.tif 000011
【図１１】
0003627759.tif 000012
【図１２】
0003627759.tif 000013
【図１３】
0003627759.tif 000014
【図１４】
0003627759.tif 000015
【図１５】
0003627759.tif 000016